(57)【要約】【課題】特に除湿ロータの吸着熱の回収率が高く、全体として熱効率の高い除湿空調装置を提供しようとするものである。【解決手段】第１及び第２直交型熱交換器６，７を設け、除湿ロータ１より出た乾燥空気を第１直交型熱交換器６に通過させて室内還気ＲＡと熱交換して吸着熱の回収を行い、温度の下がった乾燥空気を第２直交型熱交換器７に通過させ水を噴霧した室内還気ＲＡと熱交換して冷却し、室内へ供給するようにした。２つの直交型熱交換器６，７を設けているために、第２直交型熱交換器７によって室内供給空気の温度を十分に下げ、第１直交型熱交換器６によって除湿ロータ１の吸着熱を十分に回収することができる。【選択図】  図１
2004177010.tif 000002
【特許請求の範囲】
【請求項１】
加熱された空気によって脱着される除湿ロータと、２つの流路の間で顕熱交換を行う熱交換器を複数備え、前記除湿ロータによって乾燥した空気を第１熱交換器の一方の通路に通して乾燥空気の温度を下げ、温度の下がった乾燥空気を第２熱交換器の一方の通路に通してさらに温度を下げて室内へ供給し、室内還気に水を噴霧して前記第２熱交換器の他方の通路に通して前記第２熱交換器の一方の通路を通過する空気を冷却し、前記第２熱交換器の他方の通路を通過した後の室内還気を前記第１熱交換器の第２通路に通して前記除湿ロータを出た乾燥空気の温度を下げるとともに前記除湿ロータによる吸着熱を回収するようにした除湿空調装置。
【請求項２】
熱交換器の他方の通路の下流側に水を噴霧するようにした請求項１記載の除湿空調装置。
【請求項３】
室内からの還気を熱交換器の下流側部分から上流側部分に流し、上流側部分を通過した空気を加熱して除湿ロータの脱着空気とした請求項１記載の除湿空調装置。
【発明の詳細な説明】
【０００１】
【発明の属する技術分野】
本発明は除湿空調装置に関するもので、特に熱効率の改善された除湿空調装置を提供するものである。
【０００２】
【従来の技術】
除湿空調装置はシリカゲルなどの湿気吸着剤を用いることによって、室内の空気の湿度調整を行うものであって、室内空間の快適性の向上に寄与するものであり、また湿気吸着剤に吸着した湿気の脱着に廃熱を使うこともでき、この場合には省エネルギー効果が高いため急速に普及している。
【０００３】
現在普及している一般的な除湿空調装置について図３に沿って説明する。１は除湿ロータであり、セラミック紙などをハニカム（ハチの巣）状に形成し、そこにシリカゲルを合成したものである。また２は顕熱交換ロータであり、アルミニウムシートをハニカム状に形成したものである。そして除湿ロータ１と顕熱交換ロータ２とはそれぞれギヤドモータ（図示せず）によって回転駆動される。
【０００４】
３は蒸発冷却器であり、これによって水が気化され気化熱で空気が冷却されるものである。４は温水ヒータであり、ボイラーや廃熱源から供給される温水によって、ここを通過する空気を加熱するものである。
【０００５】
外気ＯＡは除湿ロータ１の吸着ゾーンを通過することによって高温乾燥空気となり、顕熱ロータ２によって温度が下がり快適な乾燥空気となる。また室内からの還気ＲＡは、蒸発冷却器３によって温度が下がり、顕熱ロータ２を通過する。この時に顕熱ロータ２の熱を奪い、反対にここを通過した空気の温度は上昇する。
【０００６】
室内からの空気は温水ヒータ４でさらに温度が上昇し、除湿ロータ１の脱着ゾーンを通過することによって除湿ロータ１に吸着された水分の脱着が行われる。
【０００７】
以上のように除湿空調装置は温水ヒータ４に廃熱源からの温水を通すことによって無駄に捨てられる廃熱を利用して空調を行うことができる反面、室内からの還気ＲＡと供給空気ＳＡとが一部、顕熱ロータ２によって混合し室内の臭気が供給空気に混入したり、折角湿度を下げた空気に水分が混入するという問題があった。
【０００８】
このため図２（特許文献１参照）に示すような除湿空調装置が開発された。この除湿空調装置は乾燥空気と室内からの還気とが直交型熱交換器によって熱交換されるため、この熱交換に際して両空気間の混合は全くなく、上記の問題点が解消される。
【０００９】
【特許文献１】
特開２００２−１４７７９４号公報
【００１０】
一方、除湿空調装置は一般にエネルギー効率すなわち投入されたエネルギー量に対して冷房や除湿に供されるエネルギーの比が低いという問題がある。
【００１１】
特許文献１の図１に示される実施例のものは室内からの還気ＲＡと乾燥空気との熱交換によって、室内からの還気ＲＡの温度が上昇し、それを除湿ロータの脱着に用いるため、エネルギーの回収が行われている。
【００１２】
【発明が解決しようとする課題】
本発明は以上の問題点に着目してなされたものであり、特に除湿ロータの吸着熱の回収率が高く、全体として熱効率の高い除湿空調装置を提供しようとするものである。
【００１３】
【課題を解決するための手段】
しかしながら特許文献１の図１に示されるものは、第２通路１３内で水が気化するものであり、第２通路１３の出口付近まで気化が進むと、第２通路１３の出口付近の温度は下がってしまい、ほとんどエネルギーの回収が行われることがなくなる。
【００１４】
本件発明は以上のような課題を解決するため、第１及び第２直交型熱交換器を設け、除湿ロータより出た乾燥空気を第１直交型熱交換器に通過させて室内還気と熱交換して吸着熱の回収を行い、温度の下がった乾燥空気を第２直交型熱交換器に通過させ水を噴霧した室内還気と熱交換して冷却し、室内へ供給するようにした。
【００１５】
【発明の実施の形態】
本発明の請求項１に記載の発明は、加熱された空気によって脱着される除湿ロータと、２つの流路の間で顕熱交換を行う熱交換器を複数備え、前記除湿ロータによって乾燥した空気を第１熱交換器の一方の通路に通して乾燥空気の温度を下げ、温度の下がった乾燥空気を第２熱交換器の一方の通路に通してさらに温度を下げて室内へ供給し、室内還気に水を噴霧して前記第２熱交換器の他方の通路に通して前記第２熱交換器の一方の通路を通過する空気を冷却し、前記第２熱交換器の他方の通路を通過した後の室内還気を前記第１熱交換器の第２通路に通して前記除湿ロータを出た乾燥空気の温度を下げるとともに前記除湿ロータによる吸着熱を回収するようにしたもので、除湿ロータによる吸着熱を回収することがでるという作用を有する。
【００１６】
【実施例】
以下本発明の除湿空調装置の実施例について図に沿って詳細に説明する。図１は本発明の除湿空調装置の実施例１の断面図を示す。ここで図１及び図２の従来のものと同一の構成部材については同一の番号を付与する。
【００１７】
図１は本発明の除湿空調装置の実施例１の側断面図である。図１において５はキャビネットであり、大きく上下に２分割され、この中に除湿ロータ１や第１直交型顕熱交換器６、第２直交型顕熱交換器７などが収納されている。
【００１８】
除湿ロータ１はセラミック紙などをハニカム（ハチの巣）状に形成し、そこにシリカゲルを合成したものである。除湿ロータ１はギヤドモータ（図示せず）によって回転駆動される。
【００１９】
また第２直交型顕熱交換器６及び第２直交型顕熱交換器７はコルゲート（波付け）加工アルミニウムシートと平アルミニウムシートとを交互に積層するとともに、コルゲート加工アルミニウムシートの方向を交互に９０度ずらしたものである。
【００２０】
これによって第１直交型顕熱交換器６及び第２直交型顕熱交換器はそれぞれ第１通路８、９及び第２通路１０、１１の２つの通路がそれぞれ形成されている。
【００２１】
１２は水噴霧器であり、第２直交型顕熱交換器７の第１通路９に水を噴霧するものである。１３はドレンパンで水噴霧器１２から噴霧され第２直交型顕熱交換器７の第１通路９で気化された水の余剰分を集めるものである。１４はエリミネータであり、第２直交型顕熱交換器７の第１通路９から出た水滴が第１直交型顕熱交換器６の第２通路１０に入るのを防止している。
【００２２】
１５，１６はそれぞれブロアであり、ブロア１５は外気ＯＡを除湿ロータ１の吸着ゾーン１７に送るものである。またブロア１６は除湿ロータ１の脱着ゾーン１８からの空気を大気へ排気ＥＡとして放出するものである。
【００２３】
本発明の除湿空調装置の実施例１の構成は以上の説明のとおりであり、以下その動作について説明する。先ずブロア１５によって外気ＯＡが除湿ロータ１の吸着ゾーン１７に送られる。外気はこの吸着ゾーン１７で乾燥空気となるとともに吸着熱で温度が上がる。
【００２４】
温度の上がった乾燥空気は第１直交型顕熱交換器６の第１通路８を通過する間に熱を奪われ、温度が下がる。温度の下がった乾燥空気は第２直交型顕熱交換器７の第２通路１１に入る。ここで乾燥空気はさらに熱を奪われ、さらに温度が下がり、快適な低温乾燥空気となって室内（図示せず）に供給空気ＳＡとして送られる。
【００２５】
部屋からの還気ＲＡは噴霧器１２の周囲を通過し第２直交型顕熱交換器７の第１通路９に入る。この時に噴霧器１２は水を噴霧し、水の気化熱によって還気ＲＡの温度を下げる。噴霧器１２による水の噴霧量は、上記の気化量を十分に超える量とする。すると第２直交型顕熱交換器７の第１通路９に室内還気ＲＡとともに水が入る。室内還気ＲＡが第２直交型顕熱交換器７の第１通路９を通過する間に水の気化が進み、第２直交型顕熱交換器７の第２通路１１を通過する空気を冷却する。これが上記の供給空気ＳＡの冷却動作である。
【００２６】
噴霧された水の気化しなかった部分はドレンパン１３に受けられ外部へ捨てられる。またこの水の気化しなかった部分はエリミネータ１４によって第１直交型顕熱交換器６への侵入が阻止される。湿度が上がり温度の下がった還気ＲＡは、第１直交型顕熱交換器６の第２通路１０を通過する。ここでは温度の高い乾燥空気と熱交換するため、還気ＲＡの温度が上昇する。この温度の上がった還気ＲＡは温水ヒータ４に達する。
【００２７】
ヒータ４に達しヒータ４を抜けた還気ＲＡの温度は、さらに温度が上昇し除湿ロータ１の脱着ゾーン１８で除湿ロータ１に吸着された湿気を脱着する。
【００２８】
【発明の効果】
本発明の除湿空調装置は上記の如く構成したので、除湿ロータによって発生した吸着熱を回収して除湿ロータの脱着熱の一部として使うことができ、エネルギー消費を少なくすることができる。
【００２９】
またいわゆるツインロータ式つまり除湿ロータと顕熱交換ロータとを組み合わせた除湿空調装置のように給気と還気との間で空気の漏れが発生するものを改良し直交型顕熱交換器を用いたものにあっては、除湿ロータによる吸着熱の回収が困難であったが、本発明のものは直交型顕熱交換器を用いたものであっても吸着熱の回収が可能となった。
【図面の簡単な説明】
【図１】本発明の除湿空調装置の実施例を示す断面図である。
【図２】従来の除湿空調装置を示す断面図である。
【図３】他の従来の除湿空調装置を示す断面図である。
【符号の説明】
１  除湿ロータ
４  温水ヒータ
５  キャビネット
６  第１直交型顕熱交換器
７  第２直交型顕熱交換器
８、９  第１通路
１０，１１  第２通路
１２  水噴霧器
１３  ドレンパン
１４  エリミネータ
１５，１６  ブロア
１７  吸着ゾーン
１８  脱着ゾーン
【図１】
2004177010.tif 000003
【図２】
2004177010.tif 000004
【図３】
2004177010.tif 000005